(57)【要約】【課題】像保持体から除去されたトナーの搬送経路内での固着を抑制することができる画像形成装置を得る。【解決手段】画像形成装置１０は、クリーニング装置６８によって像保持体５６から除去されたトナーを搬送する第１搬送部材８８を駆動させる。また、画像形成装置１０は、現像装置６２によるトナーの供給に対応して、第１搬送部材８８の駆動を開始させるように制御し、定着装置６６の駆動が停止した場合に、第１搬送部材８８の駆動を停止させるように制御する。【選択図】図３
2016173407.tif 000002
【特許請求の範囲】
【請求項１】
現像剤の像を保持する像保持体に現像剤を供給する供給手段と、
前記像保持体から記録媒体に転写された前記現像剤を加熱して記録媒体に定着させる定着手段と、
前記像保持体から現像剤を除去する除去手段と、
前記除去手段によって前記像保持体から除去された現像剤を搬送する搬送手段を駆動させる駆動手段と、
前記搬送手段を冷却する冷却手段と、
前記定着手段が現像剤を記録媒体に定着させた後において、前記駆動手段の駆動が停止した後に前記冷却手段による冷却を停止するように制御する制御手段と、
を備えた画像形成装置。
【請求項２】
現像剤の像を保持する像保持体に現像剤を供給する供給手段と、
前記像保持体から記録媒体に転写された前記現像剤を加熱して記録媒体に定着させる定着手段と、
前記像保持体から現像剤を除去する除去手段と、
前記除去手段によって前記像保持体から除去された現像剤を搬送する搬送手段を駆動させる駆動手段と、
前記搬送手段を冷却する冷却手段と、
前記定着手段が現像剤を記録媒体に定着させた後において、前記定着手段の駆動が停止した後に前記駆動手段の駆動を停止するよう制御する制御手段と、
を備えた画像形成装置。
【請求項３】
現像剤の像を保持する像保持体に現像剤を供給する供給手段と、
前記像保持体から記録媒体に転写された前記現像剤を加熱して記録媒体に定着させる定着手段と、
前記像保持体から現像剤を除去する除去手段と、
前記除去手段によって前記像保持体から除去された現像剤を搬送する搬送手段を駆動させる駆動手段と、
前記搬送手段を冷却する冷却手段と、
装置内の温度を計測する計測手段と、
前記定着手段が現像剤を記録媒体に定着させた後において、前記計測手段によって計測された前記装置内の温度に基づいて、前記搬送手段の駆動を停止するよう制御する制御手段と、
を備えた画像形成装置。
【請求項４】
装置内の温度を計測する計測手段をさらに含み、
前記制御手段は、前記計測手段によって計測された前記装置内の温度に基づいて、前記搬送手段の駆動を停止する請求項１に記載の画像形成装置。
【請求項５】
装置内の温度を計測する計測手段をさらに含み、
前記制御手段は、前記計測手段によって計測された前記装置内の温度に基づいて、前記定着手段の駆動を停止する請求項１に記載の画像形成装置。
【請求項６】
前記駆動手段は、前記搬送手段と、前記冷却手段又は前記定着手段とを駆動させる
請求項１〜請求項５の何れか１項に記載の画像形成装置。
【請求項７】
コンピュータを、請求項１〜請求項６の何れか１項に記載の画像形成装置に含まれる制御手段として機能させるためのプログラム。
【発明の詳細な説明】
【技術分野】
【０００１】
本発明は、画像形成装置及びプログラムに関する。
【背景技術】
【０００２】
特許文献１には、画像形成処理後に像保持体上に残った転写残トナーをクリーニング回収して再び現像装置へ搬送するトナーリサイクルシステムを有する画像形成装置において、印刷動作終了の際に、転写残トナー用クリーニングユニット内と当該クリーニングユニットから現像装置までのリサイクル経路のトナー搬送速度を、印刷動作中よりも高速とすることを特徴とする画像形成装置が記載されている。
【先行技術文献】
【特許文献】
【０００３】
【特許文献１】特開２０１０−１７５８１１号公報
【発明の概要】
【発明が解決しようとする課題】
【０００４】
転写残トナーが溶けやすい状態でリサイクル経路中の転写残トナーの搬送が停止された場合、リサイクル経路中に転写残トナーが固着してしまう虞れがある。
本発明は、像保持体から除去された現像剤の搬送経路内での固着を防止することができる画像形成装置及びプログラムを得ることを目的とする。
【課題を解決するための手段】
【０００５】
請求項１に記載の発明は、現像剤の像を保持する像保持体に現像剤を供給する供給手段と、前記像保持体から記録媒体に転写された前記現像剤を加熱して記録媒体に定着させる定着手段と、前記像保持体から現像剤を除去する除去手段と、前記除去手段によって前記像保持体から除去された現像剤を搬送する搬送手段を駆動させる駆動手段と、前記搬送手段を冷却する冷却手段と、前記定着手段が現像剤を記録媒体に定着させた後において、前記駆動手段の駆動が停止した後に前記冷却手段による冷却を停止するように制御する制御手段と、を備えた画像形成装置である。
【０００６】
請求項２記載の発明は、現像剤の像を保持する像保持体に現像剤を供給する供給手段と、前記像保持体から記録媒体に転写された前記現像剤を加熱して記録媒体に定着させる定着手段と、前記像保持体から現像剤を除去する除去手段と、前記除去手段によって前記像保持体から除去された現像剤を搬送する搬送手段を駆動させる駆動手段と、前記搬送手段を冷却する冷却手段と、前記定着手段が現像剤を記録媒体に定着させた後において、前記定着手段の駆動が停止した後に前記駆動手段の駆動を停止するよう制御する制御手段と、を備えた画像形成装置である。
【０００７】
請求項３記載の発明は、現像剤の像を保持する像保持体に現像剤を供給する供給手段と、前記像保持体から記録媒体に転写された前記現像剤を加熱して記録媒体に定着させる定着手段と、前記像保持体から現像剤を除去する除去手段と、前記除去手段によって前記像保持体から除去された現像剤を搬送する搬送手段を駆動させる駆動手段と、前記搬送手段を冷却する冷却手段と、装置内の温度を計測する計測手段と、前記定着手段が現像剤を記録媒体に定着させた後において、前記計測手段によって計測された前記装置内の温度に基づいて、前記搬送手段の駆動を停止するよう制御する制御手段と、を備えた画像形成装置である。
【０００８】
請求項４記載の発明は、装置内の温度を計測する計測手段をさらに含み、前記制御手段は、前記計測手段によって計測された前記装置内の温度に基づいて、前記搬送手段の駆動を停止する請求項１に記載の画像形成装置である。
【０００９】
請求項５記載の発明は、装置内の温度を計測する計測手段をさらに含み、前記制御手段は、前記計測手段によって計測された前記装置内の温度に基づいて、前記定着手段の駆動を停止する請求項１に記載の画像形成装置である。
【００１０】
請求項６記載の発明は、前記駆動手段は、前記搬送手段と、前記冷却手段又は前記定着手段とを駆動させる請求項１〜請求項５の何れか１項に記載の画像形成装置である。
【００１１】
請求項７記載の発明は、コンピュータを、請求項１〜請求項６の何れか１項に記載の画像形成装置に含まれる制御手段として機能させるためのプログラムである。
【発明の効果】
【００１２】
請求項１〜５、７記載の発明によれば、像保持体から除去された現像剤の搬送経路内での固着を防止することができる。
【００１３】
請求項６記載の発明によれば、冷却手段又は定着手段が駆動されている間は、搬送手段を駆動することができる。
【図面の簡単な説明】
【００１４】
【図１】本発明の実施の形態に係る画像形成装置を示した概略構成図である。
【図２】本発明の実施の形態に係る画像形成装置に備えられた画像形成部の断面を示した図である。
【図３】本発明の第１の実施の形態に係る画像形成装置における画像形成部の一例を表す概略構成図である。
【図４】画像形成部の概略構成の斜視図を表す図である。
【図５】上記図２に示した画像形成部の断面を反対側からみた図である。
【図６】画像形成装置の制御系の概略構成図である。
【図７】本発明の第１の実施の形態に係る画像形成処理の流れを示すフローチャートである。
【図８】本発明の第１の実施の形態に係る画像形成処理の流れを示すタイムチャートである。
【図９】本発明の第２の実施の形態に係る画像形成装置における画像形成部の一例を表す概略構成図である。
【図１０】本発明の第２の実施の形態に係る画像形成処理の流れを示すフローチャートである。
【図１１】本発明の第２の実施の形態に係る画像形成処理の流れを示すタイムチャートである。
【図１２】本発明の第３の実施の形態に係る画像形成装置における画像形成部の一例を表す概略構成図である。
【図１３】本発明の第３の実施の形態に係る画像形成処理の流れを示すフローチャートである。
【図１４】本発明の第３の実施の形態に係る画像形成処理の流れを示すタイムチャートである。
【図１５】本発明の第４の実施の形態に係る画像形成処理の流れを示すフローチャートである。
【図１６】本発明の第４の実施の形態に係る画像形成処理の流れを示すタイムチャートである。
【発明を実施するための形態】
【００１５】
＜第１の実施の形態＞
本発明の実施の形態に係る画像形成装置の一例を図１〜図８に従って説明する。なお図中に示す矢印Ｙは装置上下方向（鉛直方向）を示し、矢印Ｘは装置幅方向（水平方向）を示し、矢印Ｚは装置奥行方向（水平方向）を示す。
【００１６】
（全体構成）
図１に示されるように、本実施の形態に係る画像形成装置１０には、上下方向（矢印Ｙ方向）の下方から上方へ向けて、記録媒体の一例としてのシート部材Ｐが収容される収容部１４と、収容部１４に収容されたシート部材Ｐを搬送する搬送部１６と、収容部１４から搬送部１６によって搬送されるシート部材Ｐに画像形成を行う画像形成部２０とが、備えられている。
【００１７】
〔収容部〕
収容部１４には、画像形成装置１０の装置本体１０Ａから装置奥行方向の手前側に引き出し可能な収容部材２６が備えられており、この収容部材２６にシート部材Ｐが積載されている。さらに、収容部１４には、積載されたシート部材Ｐを、搬送部１６を構成する搬送経路２８に送り出す送出ロール３２が備えられている。
【００１８】
〔搬送部〕
搬送部１６には、送出ロール３２に対してシート部材Ｐの搬送方向の下流側（以下単に「搬送方向下流側」と記載する）に配置され、シート部材Ｐを一枚ずつ分離して搬送する分離ロール３４が備えられている。
【００１９】
また、搬送経路２８において、分離ロール３４に対して搬送方向下流側には、シート部材Ｐを一旦停止させるとともに、決められたタイミングでシート部材Ｐを後述する転写位置Ｔへ送り出す位置合せロール３６が配置されている。
【００２０】
また、搬送経路２８の終端側には、画像形成部２０によって画像が形成されたシート部材Ｐを、画像形成部２０の上方に形成された排出部７４に排出させる排出ロール７６が配置されている。
【００２１】
〔画像形成部〕
図２に示されるように、画像形成部２０は、像保持体５６と、像保持体５６の表面を帯電させる帯電部材の一例としての帯電ロール５８を備えている。また、画像形成部２０は、画像データに基づいて帯電した像保持体５６の表面に露光光を照射して静電潜像を形成させる露光装置６０（図１参照）と、この静電潜像を現像してトナー画像として可視化する供給手段の一例としての現像装置６２とを備えている。現像装置６２は、像保持体５６に現像剤の一例としてのトナーを供給する。
【００２２】
さらに、画像形成部２０は、搬送経路２８に沿って搬送されるシート部材Ｐに像保持体５６の表面に形成されたトナー画像を転写する転写ロール６４を備えている。また、画像形成部２０は、シート部材Ｐ上のトナー画像を加熱・加圧してシート部材Ｐに定着させる定着手段の一例としての定着装置６６を備えている。定着装置６６は、加熱ロール６６Ｈと加圧ロール６６Ｎとを含んで構成されている。また、定着装置６６は、図３に示されるように、定着装置用モータ８０により駆動される。また、図３に示されるように、画像形成装置内の温度を計測する計測手段の一例としての定着装置用温度センサ８２によって、画像形成装置内の温度の一例としての定着装置６６の温度が検出される。
【００２３】
また、画像形成部２０は、定着装置６６の駆動に対応して駆動される冷却手段の一例としての冷却ファン８４を備えている。冷却ファン８４は、上記図３に示されるように、駆動手段の一例としての駆動モータ８６により駆動される。
【００２４】
さらに、画像形成部２０は、トナー画像が転写された後の像保持体５６に残留するトナーをクリーニングブレード７０によって像保持体５６から掻き落として除去し像保持体５６を清掃する除去手段の一例としてのクリーニング装置６８を備えている。クリーニング装置６８によって除去されたトナーは、搬送手段の一例としての第１搬送部材８８によって現像装置６２へ搬送される。具体的には、図４及び図５に示されるように、第１搬送部材８８の回転駆動により、クリーニング装置６８によって除去されたトナーが、装置奥行方向へ搬送される。そして、第２搬送部材９０の回転駆動により、除去されたトナーが装置幅方向へ搬送されて、現像装置６２へ搬送される。なお、上記図４及び図５に示される第３搬送部材９２の回転駆動によって、トナー収容室（図示省略）のトナーが、現像装置６２へ搬送される。
【００２５】
また、第１搬送部材８８は、上記図３に示されるように、冷却ファン８４を駆動させる駆動モータ８６によって駆動される。したがって、上記図３に示されるように、冷却ファン８４と第１搬送部材８８とを同じ駆動モータ８６で回転駆動させる。
また、冷却ファン８４は、図４に示されるように、画像形成部２０よりも装置奥行方向手前側に設けられている。また、冷却ファン８４は、装置上下方向および装置幅方向において、第２搬送部材９０と対面する位置であり、また、定着装置６６とも対面する位置に配置されている。冷却ファン８４は、駆動モータ８６によって駆動されると、−Ｚ方向に向けて空気を送風し、送風された空気の一部はクリーニング装置６８に沿って装置奥行方向に進み、第２搬送部材９０と衝突する。また、送風された空気の一部は、定着装置６６に沿って装置奥行方向に進む。
【００２６】
なお、本実施の形態では、像保持体５６と、帯電ロール５８と、現像装置６２と、クリーニング装置６８とを備えたプロセスカートリッジ２２によって画像が形成される場合を例に説明する。プロセスカートリッジ２２は、上記図３に示されるように、プロセスカートリッジ用モータ９４により駆動される。
【００２７】
次に、本実施形態に係る画像形成装置における、制御系の概略構成について説明する。
【００２８】
図６には、画像形成装置１０の制御系の概略構成を例示した。同図に示すように、画像形成装置１０は、コンピュータで構成された制御手段の一例としてのコントローラ２０２を含んで構成されている。
【００２９】
コントローラ２０２は、ＣＰＵ（Ｃｅｎｔｒａｌ  Ｐｒｏｃｅｓｓｉｎｇ  Ｕｎｉｔ）２０２Ａ、ＲＯＭ（Ｒｅａｄ  Ｏｎｌｙ  Ｍｅｍｏｒｙ）２０２Ｂ、ＲＡＭ（Ｒａｎｄｏｍ  Ａｃｃｅｓｓ  Ｍｅｍｏｒｙ）２０２Ｃ、不揮発性メモリ２０２Ｄ、及び入出力インターフェース（Ｉ／Ｏ）２０２Ｅがバス２０２Ｆを介して各々接続された構成となっている。
【００３０】
Ｉ／Ｏ２０２Ｅには、画像形成部２０、操作表示部１０２、及び通信インターフェース（Ｉ／Ｆ）１０４等の各機能部が接続されている。
【００３１】
操作表示部１０２は、例えば、シート部材Ｐへの画像形成に関する各種設定操作を行うための操作ボタンや設定画面等を表示するためのディスプレイ等を含んで構成される。
【００３２】
通信Ｉ／Ｆ１０４は、通信手段を介して他の装置とデータ通信を行うためのインターフェースである。
【００３３】
なお、コントローラ２０２が実行する後述する処理の制御プログラムは、本実施形態では一例として不揮発性メモリ２０２Ｄに予め記憶され、ＣＰＵ２０２Ａがこの予め記憶された制御プログラムを読み込むことにより実行される。また、ＣＤ−ＲＯＭ等の記録媒体に制御プログラムを記録し、これをＣＤ−ＲＯＭドライブ等で読み込むことにより実行するようにしてもよい。
【００３４】
次に、コントローラ２０２で実行される画像形成処理について、図７に示すフローチャートを参照して説明する。なお、図７に示す処理は、シート部材Ｐに対する画像形成の実行が指示されると実行される。
【００３５】
まず、ステップＳ１００では、駆動モータ８６の駆動が開始され、冷却ファン８４及び第１搬送部材８８の駆動が開始される。
【００３６】
次に、ステップＳ１０２では、定着装置６６の加熱ロール６６Ｈの昇温が開始され、定着装置用モータ８０の駆動により定着装置６６の駆動が開始される。
【００３７】
ステップＳ１０４では、定着装置用温度センサ８２によって検出された温度に基づいて、加熱ロール６６Ｈの温度の変動範囲が予め定められた範囲であるか否かが判定される。加熱ロール６６Ｈの温度の変動範囲が予め定められた範囲である場合には、ステップＳ１０６へ進む。一方、加熱ロール６６Ｈの温度の変動範囲が予め定められた範囲でない場合には、ステップＳ１０４の処理を繰り返す。
【００３８】
ステップＳ１０６では、プロセスカートリッジ用モータ９４の駆動が開始され、プロセスカートリッジ２２が駆動する。
【００３９】
ステップＳ１０８では、画像形成部２０は、画像形成指示にしたがって、シート部材Ｐに像保持体５６の表面に形成されたトナー画像を転写させ、シート部材Ｐ上のトナー画像を加熱・加圧してシート部材Ｐに定着させる。
【００４０】
ステップＳ１１０では、シート部材Ｐに対する画像形成が終了したか否かを判定する。画像形成が終了した場合には、ステップＳ１１２へ進む。一方、画像形成が終了していない場合には、ステップＳ１０８へ戻る。
【００４１】
ステップＳ１１２では、プロセスカートリッジ用モータ９４の駆動が停止され、プロセスカートリッジ２２が停止される。
【００４２】
ステップＳ１１４では、定着装置６６の加熱ロール６６Ｈの加熱が停止される。
【００４３】
ステップＳ１１６では、定着装置用温度センサ８２によって検出された温度に基づいて、加熱ロール６６Ｈの温度が予め定めた温度まで降温したか否かが判定される。加熱ロール６６Ｈの温度が予め定めた温度まで降温した場合には、ステップＳ１１８へ進む。一方、加熱ロール６６Ｈの温度が予め定めた温度まで降温していない場合には、ステップＳ１１６の処理を繰り返す。
【００４４】
ステップＳ１１８では、定着装置用モータ８０の駆動が停止され、定着装置６６の駆動が停止される。
【００４５】
ステップＳ１２０では、駆動モータ８６の駆動が停止され、冷却ファン８４の駆動と第１搬送部材８８の駆動とが停止されて、画像形成処理ルーチンを終了する。
【００４６】
上記画像形成処理ルーチンによって、図８に示すタイムチャートが実現される。すなわち、図８に示されるように、冷却ファン８４及び第１搬送部材８８の駆動の開始が対応しており、冷却ファン８４及び第１搬送部材８８の駆動の停止が対応している。また、プロセスカートリッジ２２の現像装置６２によるトナーの供給に対応して第１搬送部材８８の駆動が開始され、例えば上記図８に示されるように、プロセスカートリッジ２２の駆動の予め定められた時間前に、第１搬送部材８８の駆動が開始される。また、冷却ファン８４は、定着装置６６の駆動に対応して駆動が開始され、例えば、上記図８に示されるように、定着装置６６の駆動の予め定められた時間前に冷却ファン８４の駆動が開始される。
【００４７】
＜第２の実施形態＞
次に、本発明の第２の実施形態に係る画像形成装置の一例を図９〜図１１に従って説明する。なお、第１の実施の形態と同一部材等については、同一符号を付してその説明を省略し、第１の実施の形態と異なる部分を主に説明する。
【００４８】
第２の実施の形態に係る画像形成装置の画像形成部２２０は、図９に示されるように、画像形成装置内の温度を計測する計測手段の一例としての機内温度センサ２９６を更に備えている。また、第１搬送部材２８８は、上記図９に示されるように、駆動モータ１８６によって駆動される。また、冷却ファン８４は、上記図９に示されるように、冷却ファン用モータ２８６により駆動される。
【００４９】
次に、第２の実施の形態に係る画像形成装置のコントローラ２０２で実行される画像形成処理について、図１０に示すフローチャートを参照して説明する。なお、図１０に示す処理は、シート部材Ｐに対する画像形成の実行が指示されると実行される。
【００５０】
まず、ステップＳ２００では、冷却ファン用モータ２８６の駆動が開始され、冷却ファン８４の駆動が開始される。また、駆動モータ１８６の駆動が開始され、第１搬送部材８８の駆動が開始される。
【００５１】
次に、第１の実施の形態と同様に、ステップＳ１０２〜ステップＳ１１８の各処理が実行される。
【００５２】
ステップＳ２１９では、機内温度センサ２９６によって計測された装置内の温度が予め定められた温度未満であるか否かを判定する。装置内の温度が予め定められた閾値未満である場合には、ステップＳ２２０へ進む。一方、装置内の温度が予め定められた閾値以上である場合には、ステップＳ２１９の処理を繰り返す。
【００５３】
ステップＳ２２０では、駆動モータ１８６の駆動が停止され、第１搬送部材２８８の駆動が停止される。また、冷却ファン用モータ２８６の駆動が停止され、冷却ファン８４の駆動が停止されて、画像形成処理ルーチンを終了する。
【００５４】
上記画像形成処理ルーチンによって、図１１に示すタイムチャートが実現される。すなわち、図１１に示されるように、装置内の温度が閾値未満になると、冷却ファン８４の駆動が停止され、第１搬送部材８８の駆動が停止される。
【００５５】
＜第３の実施の形態＞
次に、本発明の第３の実施形態に係る画像形成装置の一例を図１２〜図１４に従って説明する。なお、第１又は第２の実施形態と同一部材等については、同一符号を付してその説明を省略し、第１又は第２の実施形態と異なる部分を主に説明する。
【００５６】
第３の実施の形態に係る画像形成装置の画像形成部３２０の構成例の概略図を、図１２に示す。図１２に示されるように、定着装置６６は、駆動モータ３８０により駆動される。また、第３の実施の形態の第１搬送部材３８８は、上記図１２に示されるように、定着装置６６を駆動させる駆動モータ３８０によって駆動される。上記図１２に示されるように、定着装置６６と第１搬送部材３８８とを同じ駆動モータ３８０で回転駆動する。なお、冷却ファン８４は、上記図１２に示されるように、冷却ファン用モータ２８６により駆動される。
【００５７】
次に、第３の実施の形態に係る画像形成装置のコントローラ２０２で実行される画像形成処理について、図１３に示すフローチャートを参照して説明する。なお、図１３に示す処理は、シート部材Ｐに対する画像形成の実行が指示されると実行される。
【００５８】
まず、ステップＳ３００では、冷却ファン用モータ２８６の駆動が開始され、冷却ファン８４の駆動が開始される。
【００５９】
次に、ステップＳ３０２では、定着装置６６の加熱ロール６６Ｈの昇温が開始され、駆動モータ３８０の駆動により定着装置６６の駆動及び第１搬送部材３８８の駆動が開始される。
【００６０】
次に、第１の実施の形態と同様に、ステップＳ１０４〜ステップＳ１１６の各処理が実行される。
【００６１】
ステップＳ３１８では、駆動モータ３８０の駆動が停止され、定着装置６６の駆動及び第１搬送部材３８８の駆動が停止する。
【００６２】
ステップＳ３２０では、冷却ファン用モータ２８６の駆動が停止され、冷却ファン８４の駆動が停止されて、画像形成処理ルーチンを終了する。
【００６３】
上記画像形成処理ルーチンによって、図１４に示すタイムチャートが実現される。すなわち、図１４に示されるように、定着装置６６及び第１搬送部材８８の駆動の開始が対応しており、定着装置６６及び第１搬送部材８８の駆動の停止が対応している。
【００６４】
＜第４の実施の形態＞
次に、本発明の第４の実施形態に係る画像形成装置の一例を図１５〜図１６に従って説明する。なお、第１〜第３の実施形態と同一部材等については、同一符号を付してその説明を省略し、第１〜第３の実施形態と異なる部分を主に説明する。
【００６５】
第４の実施の形態に係る画像形成装置の画像形成部は、第２の実施の形態と同様の構成であるため、説明を省略する。
【００６６】
次に、第４の実施の形態に係る画像形成装置のコントローラ２０２で実行される画像形成処理について、図１５に示すフローチャートを参照して説明する。なお、図１５に示す処理は、シート部材Ｐに対する画像形成の実行が指示されると実行される。
【００６７】
まず、ステップＳ３００では、冷却ファン用モータ２８６の駆動が開始され、冷却ファン８４の駆動が開始される。
【００６８】
次に、ステップＳ４０２では、定着装置６６の加熱ロール６６Ｈの昇温が開始され、定着装置用モータ８０の駆動により定着装置６６の駆動が開始される。また、また、駆動モータ１８６の駆動が開始され、第１搬送部材２８８の駆動が開始される。
【００６９】
次に、上記第１の実施の形態と同様に、ステップＳ１０４〜ステップＳ１１４の各処理が実行される。
【００７０】
次に、ステップＳ４１６では、機内温度センサ２９６によって計測された装置内の温度が予め定められた温度未満であるか否かを判定する。装置内の温度が予め定められた閾値未満である場合には、ステップＳ４１８へ進む。一方、装置内の温度が予め定められた閾値以上である場合には、ステップＳ４１６の処理を繰り返す。
【００７１】
ステップＳ４１８では、駆動モータ１８６の駆動が停止され、第１搬送部材２８８の駆動が開始される。また、定着装置用モータ８０の駆動が停止され、定着装置６６の駆動が停止される。
【００７２】
ステップＳ３２０では、冷却ファン用モータ２８６の駆動が停止され、冷却ファン８４の駆動が停止して、画像形成処理ルーチンを終了する。
【００７３】
上記画像形成処理ルーチンによって、図１６に示すタイムチャートが実現される。すなわち、図１６に示されるように、装置内の温度が閾値未満になると、定着装置６６の駆動が停止され、第１搬送部材２８８の駆動が停止される。
【００７４】
また、上記実施の形態で説明した画像形成処理（図７，１０，１３，１６参照）は、一例であって、本発明の主旨を逸脱しない範囲内において不要なステップを削除したり、新たなステップを追加したり、処理順序を入れ替えたりすることができることは言うまでもない。
【００７５】
また、上記実施の形態では、第１搬送部材８８を駆動させる駆動モータが、定着装置を駆動させるモータ、又は冷却ファンを駆動させるモータと同じである場合を例に説明したが、これに限定されるものではない。例えば、第１搬送部材８８を駆動させる駆動モータの動作を、定着装置を駆動させるモータの動作、又は冷却ファンを駆動させるモータの動作と同期させるように、制御してもよい。
【００７６】
また、上記第２の実施の形態では、第１搬送部材２８８を駆動させる駆動モータ１８６の駆動が停止する装置内の温度の閾値と、冷却ファン８４を駆動させる冷却ファン用モータ２８６の駆動が停止する装置内の温度の閾値とが対応している場合を例に説明したが、これに限定されるものではなく、例えば、駆動モータ１８６の駆動が停止される装置内の温度の閾値と、冷却ファン用モータ２８６の駆動が停止される装置内の温度とを異なる閾値としてもよい。
また、上記第２の実施の形態では、機内温度センサ２９６が１つである場合を例に説明したが、これに限定されるものではなく、駆動モータ１８６の駆動のための温度センサと、冷却ファン用モータ２８６の駆動のための温度センサとを備えていてもよい。
【００７７】
また、上記第４の実施の形態では、第１搬送部材２８８を駆動させる駆動モータ１８６の駆動が停止する装置内の温度の閾値と、定着装置６６を駆動させる定着装置用モータ８０の駆動が停止する装置内の温度の閾値とが対応している場合を例に説明したが、これに限定されるものではなく、例えば、駆動モータ１８６の駆動が停止される装置内の温度の閾値と、定着装置用モータ８０の駆動が停止される装置内の温度とを異なる閾値としてもよい。
また、上記第４の実施の形態では、機内温度センサ２９６が１つである場合を例に説明したが、これに限定されるものではなく、駆動モータ１８６の駆動のための温度センサと、定着装置用モータ８０の駆動のための温度センサとを備えていてもよい。
【００７８】
また、上記実施の形態では、搬送手段の一例が第１搬送部材８８である場合を例に説明したが、これに限定されるものではなく、例えば、第１搬送部材８８及び第２搬送部材９０を搬送手段の一例としてもよい。
【００７９】
本発明は、本実施形態に限るものではなく、本発明の要旨を逸脱しない限りにおいて、種々の変形、変更、改良が可能である。
【符号の説明】
【００８０】
１０   画像形成装置
１０Ａ 装置本体
２０，２２０，３２０ 画像形成部
２２   プロセスカートリッジ
５６   像保持体
６２   現像装置
６６   定着装置
６６Ｈ 加熱ロール
６６Ｎ 加圧ロール
６８   クリーニング装置
７０   クリーニングブレード
８０   定着装置用モータ
８２   定着装置用温度センサ
８４   冷却ファン
８６，１８６，３８０ 駆動モータ
８８，２８８，３８８ 第１搬送部材
９０   第２搬送部材
９４   プロセスカートリッジ用モータ
２０２ コントローラ
２８６ 冷却ファン用モータ
２９６ 機内温度センサ
【図１】
2016173407.tif 000003
【図２】
2016173407.tif 000004
【図３】
2016173407.tif 000005
【図４】
2016173407.tif 000006
【図５】
2016173407.tif 000007
【図６】
2016173407.tif 000008
【図７】
2016173407.tif 000009
【図８】
2016173407.tif 000010
【図９】
2016173407.tif 000011
【図１０】
2016173407.tif 000012
【図１１】
2016173407.tif 000013
【図１２】
2016173407.tif 000014
【図１３】
2016173407.tif 000015
【図１４】
2016173407.tif 000016
【図１５】
2016173407.tif 000017
【図１６】
2016173407.tif 000018